(57)【要約】【課題】  防虫効果を高め、また網の点検、交換を容易にし、さらに引違窓に最適な網戸装置を提供すること。【解決手段】  網戸装置は、上横框１０、下横框１１及び縦框１２からなるコ字形状網戸框１と、前記縦框１２内に収容されたロール網戸２と、前記ロール網戸２の一端を網押えフープ２１を介して取付けて、前記上下横框１０，１１に沿って、左右方向に可動する可動框１３と、この可動框１３の移動を前記上下横框１０，１１の各先端部１００，１１０で規制するストッパー機構３からなる。  このように構成された網戸装置は、建物の開口部４の室内側に固定された取付枠５にスライド自在、かつ、着脱自在に配置されている。【選択図】        図１
2008223476.tif 000002
【特許請求の範囲】
【請求項１】
建物の開口部の室内側に配置された取付枠と、
前記取付枠に着脱自在に取付けられ、かつ、上横框、下横框及び縦框からなる網戸框と、
前記網戸框に左右方向に移動可能に配置された可動框と、
前記可動框に網押えフープを介して一端が取付けられ、かつ、前記縦框に収容されたロール網戸と、
前記可動框の長手方向に沿って配置され、その先端が上横框の先端部の孔に出没可能なストッパー棒をスライドさせる取付ボタンと、その表側に形成された指掛部を備えた上ハンドルからなるストッパー機構を備えたことを特徴とする網戸装置。
【請求項２】
建物の開口部の室内側に配置された取付枠と、
前記取付枠に着脱自在に取付けられ、かつ、上横框、下横框及び縦框からなる網戸框と、
前記網戸框に左右方向に移動可能に配置された可動框と、
前記可動框に網押えフープを介して一端が取付けられ、かつ、前記縦框に収容されたロール網戸と、
前記可動框の長手方向に沿って配置され、その先端が下横框の先端部の孔に出没可能なストッパー棒をスライドさせる取付ボタンと、その表側に形成された指掛部を備えた下ハンドルからなるストッパー機構を備えたことを特徴とする網戸装置。
【請求項３】
前記上下横框の長手方向の寸法が前記取付枠の長手方向の寸法の略半分に形成されていることを特徴とする請求項１又は２に記載の網戸装置。
【発明の詳細な説明】
【技術分野】
【０００１】
本発明は、建物の開口部に取付けられる網戸装置に関し、特にロール網戸装置に関するものである。
【背景技術】
【０００２】
従来、ロール網戸は、スプリングによって巻取り方向に付勢された巻取芯に網の一端が固着され、かつ、巻付けられて網収納ケース内に収容され、一方、前記網の他端が可動縦框に固着されて、前記網収納ケースが建物の開口部の側面に、可動框受が前記開口部の他側面に固定されて構成されていた（例えば、特許文献１参照）。
【特許文献１】実開昭５９−１３６８９５号公報（第２図）
【発明の開示】
【発明が解決しようとする課題】
【０００３】
しかし、このようなロール網戸には、次のような、解決すべき課題があった。
その１つは、前記網により、前記開口部を閉幕しても、網の下端から虫が室内に侵入するおそれがあること、
その２つは、前記網の他端は可動縦框に強固に固着されており、網を交換する場合には、可動縦框も交換する必要があったこと、
その３つは、前記開口部に引違窓が取付けられ、その窓に網戸を配置する場合、開放される前記開口部の最大の開口面積は前記開口部の略半分であるので、網戸も前記開口部の略半分のサイズでたりるが、前記ロール網戸では、その要望に副わないこと等、である。
【０００４】
そこで、本発明は、上記課題を解決するためになされたもので、防虫効果を高め、また網の点検、交換を容易にすると共に、引違窓に最適な網戸装置を提供することを目的とする。
【課題を解決するための手段】
【０００５】
上記した課題を解決するために、本発明の網戸装置は、建物の開口部の室内側に配置された取付枠と、前記取付枠に着脱自在に取付けられ、かつ、上横框、下横框及び縦框からなる網戸框と、前記網戸框に左右方向に移動可能に配置された可動框と、前記可動框に網押えフープを介して一端が取付けられ、かつ、前記縦框に収容されたロール網戸と、前記可動框の長手方向に沿って配置され、その先端が上横框の先端部の孔に出没可能なストッパー棒をスライドさせる取付ボタンと、その表側に形成された指掛部を備えた上ハンドルからなるストッパー機構を備えたことを特徴とする（請求項１の発明）。
【０００６】
上記した課題を解決するために、本発明の網戸装置は、建物の開口部の室内側に配置された取付枠と、前記取付枠に着脱自在に取付けられ、かつ、上横框、下横框及び縦框からなる網戸框と、前記網戸框に左右方向に移動可能に配置された可動框と、前記可動框に網押えフープを介して一端が取付けられ、かつ、前記縦框に収容されたロール網戸と、前記可動框の長手方向に沿って配置され、その先端が下横框の先端部の孔に出没可能なストッパー棒をスライドさせる取付ボタンと、その表側に形成された指掛部を備えた下ハンドルからなるストッパー機構を備えたことを特徴とする（請求項２の発明）。
【０００７】
上記発明において、前記上下横框の長手方向の寸法が前記取付枠の長手方向の寸法の略半分に形成されていることを特徴とする網戸装置とした（請求項３の発明）。
【発明の効果】
【０００８】
前記ロール網戸の一端は、可動框に網押えフープを介して取付けられているので、前記ロール網戸のトーションスプリングによる巻回力を利用することで、前記ロール網戸の一端が強固に固定されると共に、着脱自在に構成されるようになっている。
また、建物の開口部の室内側に配置された取付枠に組付けられる網戸框がその上下横框の長手方向の寸法が前記取付枠の長手方向の寸法の略半分に形成されているので、取付枠にスライド自在に構成されている。
【発明を実施するための最良の形態】
【０００９】
以下、図示の実施形態を参照しながら本発明を詳細に説明する。
図１は実施形態に係る網戸框、その取付枠及び開口部の透視図、図２は同縦断面図、図３は網戸を収納した状態の同横断面図である。
これらの各図及び後述の各図において、同一の構成は同一の符号を付して、詳細な説明は省略する。
【００１０】
前記網戸装置は、図１のように、上横框１０、下横框１１及び縦框１２からなるコ字形状網戸框１と、前記縦框１２内に収容されたロール網戸２と、前記ロール網戸２の一端を取付けて、前記上下横框１０，１１に沿って、左右方向に可動する可動框１３と、この可動框１３の移動を前記上下横框１０，１１の各先端部１００，１１０で規制するストッパー機構３と、建物の開口部４の室内側に固定された取付枠５を備えている。
【００１１】
そして、前記網戸框１は全体として前記取付枠５に、スライド自在、かつ、着脱自在に配置され、前記縦框１２には係合機構としての固定ハンドル６が、この固定ハンドル６に対応する位置の前記取付枠５の縦枠５０には、固定ハンドル受け７がそれぞれ取付けられている。
【００１２】
前記固定ハンドル６が前記縦框１２に取付けられ、この固定ハンドル６に対応する固定ハンドル受け７が前記縦枠５０に取付けられている点が、この実施形態に係る網戸装置の特徴の１つであって、後述するように、開口部４に引違窓４０が配置されている場合に、最適な網戸装置を提供することができる。
【００１３】
前記上横框１０は、図２に示したように、長手方向に開口を形成する開口部ヒレ１０１によって下向きコ字状に形成され、その内部の長手方向に中間ヒレ１０２が形成され、その上端に摺動片１０３が形成されている。
前記下横框１１は、図２に示したように、框の長手方向に開口を形成する開口部ヒレ１１１によって上向きコ字状に形成され、その内部の長手方向に中間ヒレ１１２が形成され、さらに、その下端に摺動片１１３が形成されている。
【００１４】
これらの上下横框１０，１１の長手方向の寸法は、図１に示したように、前記取付枠５を構成する上下枠５１，５２の寸法に対し、略半分のサイズに形成されている。
そして図２のように、網戸框１全体で前記取付枠５の上下枠５１，５２に沿って摺動できるように、また、前記取付枠５の上部空間５３を利用して、ケンドン式に着脱自在に形成されている。その際、上述のように上下横框１０，１１の上下端は、略同一に形成されているので、天地は問題とならない。
【００１５】
前記縦框１２の内部には、図３に示したようにロール網戸２が収容され、前記可動框１３に対向する面には上下方向に開口するスリット孔１２２が設けられ、このスリット孔１２２を介して前記ロール網戸２のメッシュ状網２０が収納されたり、開放されるようになっている。
【００１６】
また、前記縦框１２の前記縦枠５０に対向する側面には前記固定ハンドル６を上下方向にスライドさせるスライドヒレ１２０、前記引違窓４０に対向する側面には防虫用片１２１が形成されている。
【００１７】
前記ロール網戸２は、そのメッシュ状網２０の一端が、上下をブラケットによって回転自在に保持されていると共にトーションスプリングにより巻回方向へ付勢された巻取軸に固定されている（それぞれ図示せず）。
一方、前記メッシュ状網２０の他端は、図３に示したように、網押えフープ２１を介して前記可動框１３に固定されている。
即ち、この網押えフープ２１は、横断面が扁平形状に形成され、その一端側にはＵ字状断面となる鍔部２１０が設けられており、前記メッシュ状網２０の一端が可動框１３のポケット部１３５（後述）に前記網押えフープ２１の他端２１３側を巡るように折り返されて固定されている。
このように構成されたロール網戸２は、図３に示したように前記引違窓４０に対向する縦框１２の側面１２３を分割可能に構成して、着脱自在に構成されている。
なお、ロール網戸２は、どのような構成でもよく、例えば前記縦框１２に対して、着脱自在のカセット式のものでもよい。
【００１８】
前記可動框１３は、図２のように、その上端部に前記上横框１０の開口部ヒレ１０１を挟む上挟部１３０と、前記中間ヒレ１０２に沿う上スライド部１３１と、下端部に前記下横框１１の開口部ヒレ１１１を挟む下挟部１３２と、前記中間ヒレ１１２に沿う下スライド部１３３が形成されている。
また、図３に示したように、前記可動框１３が前記引違窓４０に対向する側面には、防虫用片１３４が取付けられ、前記縦框１２に対向する側面には、前記網押えフープ２１を収容するポケット部１３５が形成され、室内に対向する側面には、前記ストッパー機構３を構成する上下ハンドル３０，３１及び中央ハンドル８が取付けられている。
【００１９】
前記ポケット部１３５は、前記網押えフープ２１の鍔部２１０に係合するように、室外から室内に突出するリップ部１３５Ａと、前記網押えフープ２１の側面２１２を当接させると共に、その他端２１３を押込む押込部１３５Ｂが形成されている。
そして前記メッシュ状網２０の一端を固定した前記網押えフープ２１の鍔部２１０が前記ポケット部１３５のリップ部１３５Ａに係合し、前記網押えフープ２１の他端２１３が前記ポケット部１３５の押込部１３５Ｂに押込まれるようになっている。その結果、前記ロール網戸２のトーションスプリングによる巻回方向の付勢力によって、前記網押えフープ２１が前記鍔部２１０と前記リップ部１３５Ａの係合点を中心に回転しようとするが、前記押込部１３５Ｂによりその回転が押さえ込まれる。
即ち、前記ロール網戸２のトーションスプリングによる巻回力を利用することで、前記メッシュ状網２０の一端が強固に固定されると共に、着脱自在に構成されるようになっている。
なお、前記ポケット部１３５による前記網押えフープ２１の取付状態は、図２に示したように、上下スライド部１３１，１３３まで続いており、防虫効果の徹底が図られている。
【００２０】
次に、図４及び図５に基き、前記固定ハンドル６及びこれに係合される前記固定ハンドル受け７の構成を詳細に説明する。
前記固定ハンドル６は、縦框１２のスライドヒレ１２０にスライド可能に係合されるスライド係合部６０と、このスライド係合部６０の室外側に形成され、かつ、前記固定ハンドル受け７のフック受け部７０に係合されるフック部６１と、前記スライド係合部６０の室内側に形成される把持部６２から構成されている。
前記スライド係合部６０には前記スライドヒレ１２０に圧接される圧接片６３が設けられており、その圧接片６３の圧接力が前記スライドヒレ１２０に作用することで、前記固定ハンドル６が下方に自然落下せず、静止されるようになっている。
前記圧接片６３は、例えば口形の一辺を切欠いて略への字状に形成する。さらに耐久性を高めるため、口形の中に板ばねを嵌めこむように作ればよい。
なお、上記のように構成された前記固定ハンドル６は、図４に示した縦框１２に取付けられたストップ部６４，６４によって、スライド幅が規制されて、前記縦框１２の略中央に配置されている。
【００２１】
前記固定ハンドル受け７は、図５に示したように、前記フック受け部７０と固定部７１から構成され、この固定部７１が縦枠５０に固定されている。
【００２２】
次に、図６（Ａ）及び（Ｂ）に基いて、前記ストッパー機構３の構成例を説明する。
このストッパー機構３は、網戸の収納状態のときは図６（Ａ）のように、中央ハンドル８の上下に配置された上下ハンドル３０，３１が近づく位置となり、一方、網戸の開放状態のときは図６（Ｂ）のように、中央ハンドル８の上下に配置された上下ハンドル３０，３１が離れる位置となる構成であって、以下では上ハンドル３０を下ハンドル３１に代表させて説明する。
上ハンドル３０は、前記可動框１３の長手方向に沿って配置されているストッパー棒３００をスライドさせるための取付ボタン３０１と、その表側に形成された指掛部３０２と、中央ハンドル８に向かうガイド片３０３と、中央ハンドル８に収容され、かつ、前記ガイド片３０３を付勢するバネ（図示せず）からなっている。図示は省略するが、ストッパー棒３００の先端部が、前記上横框１０先端部１００に形成された孔に出没可能に構成されている。
【００２３】
以上のように構成された網戸装置の作用効果を図１、図３及び図７に基いて説明する。
前記開口部４の引違い窓４０の内戸４００を開けて、前記網戸装置を用い防虫するときは、前記固定ハンドル６と前記固定ハンドル受け７を係合させた状態（図３参照）で、前記可動框１３に取付けられている中央ハンドル８を把持しつつ、前記ストッパー機構３のストッパー棒３００の先端部が前記上下横框１０，１１の先端部１００，１１０の孔に没入まで、可動框１３を（図面上、左方向）にスライドさせる。
よって、この場合には前記固定ハンドル６と前記固定ハンドル受け７が係合しているので、縦框１２を押える必要はなく、前記中央ハンドル８を操作するだけで、網戸装置を使うことができる。
【００２４】
一方、前記開口部４の引違窓４０の外戸４０１を開けて、前記網戸装置を用い防虫するときは、前記ストッパー機構３が機能する位置まで可動框１３をスライドさせた後、前記固定ハンドル６と前記固定ハンドル受け７の係合を解除して、網戸框１全体を、図面上、左方向にスライドさせればよい。
また、網戸の収納状態のまま前記固定ハンドル６と前記固定ハンドル受け７の係合を解除して、網戸框１全体を、図面上左方向にスライドさせた後、中央ハンドル８を把持しつつ、前記ストッパー機構３が機能する位置まで可動框を（図面上、左方向）にスライドさせてもよい（以上、図７参照）。
【００２５】
なお、図７に示した状態の、開放した網戸装置を、図３のように収納するには、前記ストッパー機構３の上下ハンドル３０，３１を対面させるように、把持し、前記ストッパー機構３を解除し、前記可動框１３をスライドさせ、前記ロール網戸２のトーションスプリングによる巻回力を利用して、その可動框１３を前記縦框１２に隣接させる。この状態から、前記中央ハンドル８を把持して、前記固定ハンドル６を前記固定ハンドル受け７に押し当てるようにすればよい。
前記固定ハンドル６のフック部６１の表面６１０が、前記固定ハンドル受け７のフック受け部７０の表面７００（図３参照）を擦りつつ、前記固定ハンドル受け７に係合される。
【００２６】
以上の実施形態では、腰窓用の網戸装置の構成例を説明したが、掃出し窓用の網戸装置でも略同様の構成である。ただし、前記固定ハンドル６及びこれに係合される前記固定ハンドル受け７が１組の場合には、網戸を開放する際に網戸框が歪む可能性がある。そこで、図８のように２組の固定ハンドル６及びこれに係合される前記固定ハンドル受け７を前記縦框１２及び縦枠５０に配置することが望ましい。この場合、上下の固定ハンドル６を連動させる連動棒９を設けることで、上下の何れかの固定ハンドル６を操作すればよい。
【００２７】
上記実施形態において、前記係合機構は固定ハンドル受け７に対して、上下方向にスライドする固定ハンドル６を用いていたが、これらの機構に限定されることはない。例えば、固定ハンドル６をスライドではなく、ヒンジ構成としてもよい。
【図面の簡単な説明】
【００２８】
【図１】実施形態に係る網戸框、その取付枠及び開口部の透視図、
【図２】同縦断面図、
【図３】同横断面図、
【図４】実施形態に係る網戸装置の要部側面図、
【図５】実施形態に係る網戸装置の要部斜視図、
【図６】（Ａ）（Ｂ）  実施形態に係る網戸装置の要部側面図、
【図７】同横断面図、
【図８】別例に係る網戸装置の要部側面図である。
【符号の説明】
【００２９】
１  網戸框                              １０  上横框
１１  下横框                            １２  縦框
１３  可動框
１００，１１０  先端部                  １０１，１１１  開口部ヒレ
１０２，１１２  中間ヒレ                １１３  摺動片
１２０  スライドヒレ
１２１  防虫用片                        １２２  スリット孔
１２３  側面                            １３０  上挟部
１３２  下挟部                          １３３  下スライド部
１３４  防虫用片                        １３５  ポケット部
１３５Ａ  リップ部                      １３５Ｂ  押込部
２  ロール網戸                          ２０  メッシュ状網
２１  網押えフープ                      ２１０  鍔部
２１２  側面                            ２１３  他端
３  ストッパー機構                      ３０，３１  上下ハンドル
３００  ストッパー棒                    ３０１  取付ボタン
３０２  指掛部                          ３０３  ガイド片
４  開口部                              ４０  引違窓
５  取付枠                              ５０  縦枠
５１，５２  上下枠                      ５３  上部空間
６  固定ハンドル                        ６０  スライド係合部
６１  フック部                          ６２  把持部
６３  圧接片
６４  ストップ部
７  固定ハンドル受け                    ７０  フック受け部
７１  固定部
８  中央ハンドル
９  連動棒
【図１】
2008223476.tif 000003
【図２】
2008223476.tif 000004
【図３】
2008223476.tif 000005
【図４】
2008223476.tif 000006
【図５】
2008223476.tif 000007
【図６】
2008223476.tif 000008
【図７】
2008223476.tif 000009
【図８】
2008223476.tif 000010